【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
アルミニウム、マグネシウムおよびそれらの合金よりなる群から選択される少なくとも１種の金属材料を含有し、水との反応により水素を発生する水素発生材料であって、
上記金属材料が、６０μｍ以下の粒径の粒子を８０質量％以上含有していることを特徴とする水素発生材料。
【請求項２】
常温で水と反応して発熱する発熱材料を更に含有する請求項１に記載の水素発生材料。
【請求項３】
上記金属材料と上記発熱材料との総量中、金属材料の割合が、８５質量％超で、９９質量％以下である請求項２に記載の水素発生材料。
【請求項４】
アルミニウム、マグネシウムおよびそれらの合金よりなる群から選択される少なくとも１種の金属材料を含有し、水との反応により水素を発生する水素発生材料であって、
上記金属材料は、粒径が１００μｍ以下の粒子であり、
常温で水と反応して発熱する発熱材料を更に含有し、
上記金属材料と上記発熱材料との総量中、金属材料の割合が８０質量％以上９９質量％以下であることを特徴とする水素発生材料。
【請求項５】
上記発熱材料が、酸化カルシウム、酸化マグネシウム、塩化カルシウム、塩化マグネシウムおよび硫酸カルシウムよりなる群から選択される少なくとも１種の化合物である請求項２〜４のいずれかに記載の水素発生材料。
【請求項６】
上記発熱材料が、酸化カルシウムである請求項５に記載の水素発生材料。
【請求項７】
上記金属材料が、アルミニウムまたはアルミニウム合金である請求項１〜６のいずれかに記載の水素発生材料。
【請求項８】
上記金属材料の形状が鱗片状である請求項１〜７のいずれかに記載の水素発生材料。
【請求項９】
上記金属材料が、アルミニウム合金またはマグネシウム合金であり、合金中の添加元素の含有量が２〜２０質量％である請求項１〜６のいずれかに記載の水素発生材料。
【請求項１０】
上記アルミニウム合金またはマグネシウム合金の含有する添加元素が、ケイ素、鉄、銅、マンガン、マグネシウム、亜鉛、ニッケル、チタン、鉛、スズおよびクロムよりなる群から選択される少なくとも１種の元素である請求項９に記載の水素発生材料。
【請求項１１】
上記金属材料の粒径が、０．１μｍ以上である請求項１〜１０のいずれかに記載の水素発生材料。
【請求項１２】
上記金属材料の平均粒径が、３０μｍ以下である請求項１〜１１のいずれかに記載の水素発生材料。
【請求項１３】
上記金属材料は、アトマイズ法により作製された粉末である請求項１〜１２のいずれかに記載の水素発生材料。
【請求項１４】
上記金属材料は、化学的手段または機械的手段により、表面の反応性を向上させる表面処理が行われたものである請求項１〜１３のいずれかに記載の水素発生材料。
【請求項１５】
上記金属材料は、溶媒中で機械的に撹拌されて表面処理されたものである請求項１４に記載の水素発生材料。
【請求項１６】
ペレット状または顆粒状に成形されている請求項１〜１５のいずれかに記載の水素発生材料。
【請求項１７】
少なくとも、請求項１〜１６のいずれかに記載の水素発生材料を収容し、かつ水素の排出口を備えている反応容器と、上記反応容器内の上記水素発生材料に水を供給する手段とを有し、
上記水素発生材料に含まれる金属材料と水との反応により水素を発生させることを特徴とする水素製造装置。
【請求項１８】
上記反応容器内に、水を貯蔵する貯蔵部を有しており、上記貯蔵部から上記水素発生材料に水を供給する機構を有する請求項１７に記載の水素製造装置。
【請求項１９】
請求項１〜１６のいずれかに記載の水素発生材料に水を供給し、上記水素発生材料に含まれる金属材料と水との反応により水素を発生させることを特徴とする水素の製造方法。
【請求項２０】
酸素を還元する正極と、水素を酸化する負極と、上記正極と上記負極との間に配置された固体電解質とからなる固体高分子型燃料電池と、
請求項１〜１６のいずれかに記載の水素発生材料を収容し、かつ水素の排出口を有する反応容器とを備え、
上記水素発生材料に含まれる金属材料と水との反応により発生する水素を燃料源とすることを特徴とする燃料電池システム。
【手続補正２】
【補正対象書類名】明細書
【補正対象項目名】発明の名称
【補正方法】変更
【補正の内容】
【発明の名称】水素発生材料、水素製造装置、水素の製造方法および燃料電池システム
【手続補正３】
【補正対象書類名】明細書
【補正対象項目名】００１０
【補正方法】変更
【補正の内容】
【００１０】
本発明は、上記事情に鑑みてなされたものであり、その目的は、低温で簡便に水素を発生することのできる水素発生材料、該水素発生材料を用いた水素製造装置、水素の製造方法および燃料電池システムを提供することにある。
【手続補正４】
【補正対象書類名】明細書
【補正対象項目名】００１１
【補正方法】変更
【補正の内容】
【００１１】
上記目的を達成し得た本発明の水素発生材料は、アルミニウム、マグネシウムおよびそれらの合金よりなる群から選択される少なくとも１種の金属材料を含有し、水との反応により水素を発生する水素発生材料であって、上記金属材料が、６０μｍ以下の粒径の粒子を８０質量％以上含有していることを特徴とするものである。
また、本発明の水素発生材料は、別の態様として、アルミニウム、マグネシウムおよびそれらの合金よりなる群から選択される少なくとも１種の金属材料を含有し、水との反応により水素を発生する水素発生材料であって、上記金属材料は、粒径が１００μｍ以下の粒子であり、常温で水と反応して発熱する発熱材料を更に含有し、上記金属材料と上記発熱材料との総量中、金属材料の割合が８０質量％以上９９質量％以下であることを特徴とするものである。
【手続補正５】
【補正対象書類名】明細書
【補正対象項目名】００１２
【補正方法】変更
【補正の内容】
【００１２】
更に、本発明の水素製造装置は、少なくとも、本発明の水素発生材料を収容し、かつ水素の排出口を備えている反応容器と、上記反応容器内の上記水素発生材料に水を供給する手段とを有し、上記水素発生材料に含まれる金属材料と水との反応により水素を発生させることを特徴とするものである。
また、本発明の水素の製造方法は、本発明の水素発生材料に水を供給し、上記水素発生材料に含まれる金属材料と水との反応により水素を発生させることを特徴とする。
【手続補正６】
【補正対象書類名】明細書
【補正対象項目名】００１３
【補正方法】変更
【補正の内容】
【００１３】
更に、本発明の燃料電池システムは、酸素を還元する正極と、水素を酸化する負極と、上記正極と上記負極との間に配置された固体電解質とからなる固体高分子型燃料電池と、本発明の水素発生材料を収容し、かつ水素の排出口を有する反応容器とを備え、上記水素発生材料に含まれる金属材料と水との反応により発生する水素を燃料源とすることを特徴とするものである。
【手続補正７】
【補正対象書類名】明細書
【補正対象項目名】００１４
【補正方法】変更
【補正の内容】
【００１４】
本発明の水素発生材料を水素発生源とすることにより、低温で簡便かつ効率的に水素を製造することができるため、燃料電池に水素を供給する水素発生装置を小型で携帯可能なものとすることができ、燃料電池システムの小型化、発電効率の向上を実現することができる。
【手続補正８】
【補正対象書類名】明細書
【補正対象項目名】００１５
【補正方法】変更
【補正の内容】
【００１５】
すなわち、本発明の水素発生材料を水素源とする本発明の水素製造装置および燃料電池システムは、簡便で小型のものとすることができる。